【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
圧縮されたストリーム・データを受信し、復元されたビデオ出力を発生するビデオ・デコーダであって、
圧縮されたストリーム・データを受信し、通常ストリームとチャンネル変更ストリームを分離するデマルチプレクサと、
前記デマルチプレクサに結合され、圧縮された通常ストリームとチャンネル変更ストリームのうち少なくとも１つを選択可能に受信し、復元されたビデオ出力を発生する通常デコーダと、
前記通常デコーダに結合され、参照画像を記憶する少なくとも１つの通常フレーム記憶装置と、から成る、前記ビデオ・デコーダ。
【請求項２】
デマルチプレクサに結合され、圧縮されたチャンネル変更ストリームを受信する低解像度のデコーダと、
前記低解像度デコーダに結合され、参照画像を記憶する少なくとも１つのチャンネル変更フレーム記憶装置と、
前記低解像度デコーダに結合され、復元されたビデオ・データをアップサンプリングし、前記通常フレーム記憶装置とディスプレイのうち少なくとも１つに前記データを選択可能に出力するアップサンプリング・ユニットと、を更に具える、請求項１記載のビデオ・デコーダ。
【請求項３】
前記通常デコーダに接続され、復元したビデオ・データを後処理し、前記少なくとも１つの通常フレーム記憶装置とディスプレイのうち少なくとも１つに前記データを選択可能に出力する後処理フィルタを更に具える、請求項１記載のビデオ・デコーダ。
【請求項４】
通常ストリームとチャンネル変更ストリームのうち１つから復号化するための圧縮された画像を選択する手段を更に具える、請求項１記載のビデオ・デコーダ。
【請求項５】
低解像度のチャンネル変更ストリームの画像をアップサンプリングする手段を更に具える、請求項４記載のビデオ・デコーダ。
【請求項６】
ＩＴＵ‐ＴＨ．２６４[ＩＳＯ／ＩＥＣ  ＭＰＥＧ１４４９６‐１０？]規格に従う、冗長画像のシンタクスを復号化する手段を更に具える、請求項１記載のビデオ・デコーダ。
【請求項７】
チャンネル変更画像を、対応する通常ストリーム画像のユーザ・データから復号化する手段を更に具える、請求項１記載のビデオ・デコーダ。
【請求項８】
通常ストリームまたはチャンネル変更ストリームの画像を後続するチャンネル変更ストリームのイントラ符号化画像のために使用すべきかを表示する、エンコーダからの信号に応答する手段を更に具える、請求項１記載のビデオ・デコーダ
【請求項９】
通常デコーダの出力を後処理し、低画質の出力から通常画質の出力への急な移行を減じる手段を更に具える、請求項４記載のビデオ・デコーダ
【請求項１０】
圧縮されたストリーム・データを受信し復元されたビデオ出力を発生する、ビデオを復号化する方法であって、
圧縮されたストリーム・データを受信し、通常ストリームとチャンネル変更ストリームを分離するステップと、
圧縮された通常ストリームとチャンネル変更ストリームのうち少なくとも１つを受信し復元されたビデオ出力を発生するステップと、
インター符号化された画像の復号化に使用する参照画像を記憶するステップと、から成る、前記ビデオ復号化方法。
【請求項１１】
通常ストリームとチャンネル変更ストリームのうちの１つから復号化するための圧縮された画像を選択するステップ、
低解像度のチャンネル変更ストリームの画像をアップサンプリングするステップ、
ＪＶＴ規格に従う冗長画像のシンタクスを復号化するステップ、
チャンネル変更画像を対応する通常ストリームの画像のユーザ・データから復号化するステップ、
通常ストリームまたはチャンネル変更ストリームの画像を、後続するチャンネル変更ストリームのイントラ符号化画像のために使用すべきかを表示するエンコーダからの信号に応答するステップ、および
通常デコーダの出力を後処理し、低画質から通常画質の出力への急な移行を減じるステップ、のうちの少なくとも１つを更に含む、請求項１０記載のビデオ復号化方法。
【請求項１２】
通常画質のビデオ・ストリームに対応する、第１の複数のブロック変換係数と、
チャンネル変更ストリームに対応する、第２の複数のブロック変換係数と、から成る、圧縮されたディジタル・ビデオ信号。
【手続補正２】
【補正対象書類名】明細書
【補正対象項目名】００１０
【補正方法】変更
【補正の内容】
【００１０】
圧縮されたストリーム・データを受信し、復元されたビデオ出力を発生するビデオ・デコーダは、圧縮されたストリーム・データを受信し、通常ストリームとチャンネル変更ストリームを分離するデマルチプレクサ、デマルチプレクサに結合され、圧縮された通常ストリームとチャンネル変更ストリームを受信し、復元されたビデオ出力を発生する通常デコーダ、および通常デコーダに結合され、参照画像を記憶する通常フレーム記憶装置を具える。
【手続補正３】
【補正対象書類名】明細書
【補正対象項目名】００１１
【補正方法】変更
【補正の内容】
【００１１】
本発明のこれらのおよびその他の態様、特徴および利点は、添付の図面に関連して読まれる実施例についての以下の説明から明らかとなる。
なお、特許請求の範囲と実施例との対応関係を図面で使われている参照番号で示すと次の通りである。
（１）  圧縮されたストリーム・データを受信し、復元されたビデオ出力を発生するビデオ・デコーダ２００であって、
圧縮されたストリーム・データを受信し、通常ストリームとチャンネル変更ストリームを分離するデマルチプレクサ２１０と、
前記デマルチプレクサに結合され、圧縮された通常ストリームとチャンネル変更ストリームのうち少なくとも１つを選択可能に受信し、復元されたビデオ出力を発生する通常デコーダ２１２と、
前記通常デコーダに結合され、参照画像を記憶する少なくとも１つの通常フレーム記憶装置と、から成る、前記ビデオ・デコーダ２００。
（２）  デマルチプレクサに結合され、圧縮されたチャンネル変更ストリームを受信する低解像度のデコーダ６１８と、
前記低解像度デコーダに結合され、参照画像を記憶する少なくとも１つのチャンネル変更フレーム記憶装置６２０と、
前記低解像度デコーダに結合され、復元されたビデオ・データをアップサンプリングし、前記通常フレーム記憶装置とディスプレイのうち少なくとも１つに前記データを選択可能に出力するアップサンプリング・ユニット６２２と、を更に具える、（１）記載のビデオ・デコーダ。
（３）  前記通常デコーダに接続され、復元したビデオ・データを後処理し、前記少なくとも１つの通常フレーム記憶装置とディスプレイのうち少なくとも１つに前記データを選択可能に出力する後処理フィルタ７１６を更に具える、（１）記載のビデオ・デコーダ。
（４）  通常ストリームとチャンネル変更ストリームのうち１つから復号化するための圧縮された画像を選択する手段を更に具える、（１）記載のビデオ・デコーダ。
（５）  低解像度のチャンネル変更ストリームの画像をアップサンプリングする手段を更に具える、（４）記載のビデオ・デコーダ。
（６）  ＩＴＵ‐ＴＨ．２６４[ＩＳＯ／ＩＥＣ  ＭＰＥＧ１４４９６‐１０？]規格に従う、冗長画像のシンタクスを復号化する手段を更に具える、（１）記載のビデオ・デコーダ。
（７）  チャンネル変更画像を、対応する通常ストリーム画像のユーザ・データから復号化する手段を更に具える、（１）記載のビデオ・デコーダ。
（８）  通常ストリームまたはチャンネル変更ストリームの画像を後続するチャンネル変更ストリームのイントラ符号化画像のために使用すべきかを表示する、エンコーダからの信号に応答する手段を更に具える、（１）記載のビデオ・デコーダ
（９）  通常デコーダの出力を後処理し、低画質の出力から通常画質の出力への急な移行を減じる手段を更に具える、（４）記載のビデオ・デコーダ
（１０）  圧縮されたストリーム・データを受信し復元されたビデオ出力を発生する、ビデオを復号化する方法９００であって、
圧縮されたストリーム・データを受信し９１２、通常ストリームとチャンネル変更ストリームを分離するステップ９１４と、
圧縮された通常ストリームとチャンネル変更ストリームのうち少なくとも１つを受信し復元されたビデオ出力を発生するステップ９１６と、
インター符号化された画像の復号化に使用する参照画像を記憶するステップ９１８と、から成る、前記ビデオ復号化方法９００。
（１１）  通常ストリームとチャンネル変更ストリームのうちの１つから復号化するための圧縮された画像を選択するステップ、
低解像度のチャンネル変更ストリームの画像をアップサンプリングするステップ、
ＪＶＴ規格に従う冗長画像のシンタクスを復号化するステップ、
チャンネル変更画像を対応する通常ストリームの画像のユーザ・データから復号化するステップ、
通常ストリームまたはチャンネル変更ストリームの画像を、後続するチャンネル変更ストリームのイントラ符号化画像のために使用すべきかを表示するエンコーダからの信号に応答するステップ、および
通常デコーダの出力を後処理し、低画質から通常画質の出力への急な移行を減じるステップ、のうちの少なくとも１つを更に含む、（１０）記載のビデオ復号化方法。
（１２）  通常画質のビデオ・ストリームに対応する、第１の複数のブロック変換係数と、
チャンネル変更ストリームに対応する、第２の複数のブロック変換係数と、から成る、圧縮されたディジタル・ビデオ信号。
【手続補正４】
【補正対象書類名】明細書
【補正対象項目名】００２８
【補正方法】変更
【補正の内容】
【００２８】
図２に、本発明の原理によるデコーダを、全体として参照番号２００で示す。デコーダ２００では、通常ストリームとチャンネル変更ストリームの各々について同じ解像度を使用し、圧縮されたビデオ・データを受信し通常ストリームとチャンネル変更ストリーム（各ストリームは通常デコーダ２１２と選択可能に結合される）を受信してデマルチプレクスするＤＥＭＵＸ（デマルチプレクサ）２１０を具える。通常デコーダ２１２はフレーム記憶装置２１４に結合され、復号化されたビデオをディスプレイに出力する。
【手続補正５】
【補正対象書類名】明細書
【補正対象項目名】００３２
【補正方法】変更
【補正の内容】
【００３２】
マルチプレクサは、チャンネル変更ストリームのＩピクチャが通常ストリームの符号化（ｃｏｄｅｄ）画像に組み入れられるように符号化画像の送信時間を調整する。チャンネル変更ストリームの符号化画像は、同じ入力画像に対応する通常ストリームの画像が送信される時間の付近で、且つその画像に関しインター予測される通常ストリームの画像の前に、送信されるのが好ましい。
【手続補正６】
【補正対象書類名】明細書
【補正対象項目名】００３９
【補正方法】変更
【補正の内容】
【００３９】
図６に、本発明の原理によるデコーダを（全体として参照番号６００で）示す。デコーダ６００は、ダウンサンプリングしたデータをチャンネル変更ストリームに使用し、圧縮されたビデオ・データ（通常デコーダ６１２と低解像度デコーダ６１８に結合される）を受信するＤＥＭＵＸ６１０を具える。通常デコーダ６１２は、フレーム記憶装置６１４に結合され、復号化されたビデオをディスプレイおよびフレーム記憶装置６１４に選択可能に出力する。低解像度デコーダ６１８はフレーム記憶装置６２０に結合され、復号化されたビデオをアップサンプラ６２２に出力し、アップサンプラ６２２は、アップサンプリングされた復号化ビデオをディスプレイとフレーム記憶装置６１４に選択可能に出力する。
【手続補正７】
【補正対象書類名】明細書
【補正対象項目名】００４２
【補正方法】変更
【補正の内容】
【００４２】
図７に、本発明の原理によるデコーダを（全体として参照番号７００で）示す。デコーダ７００では、ダウンサンプリングされたデータをチャンネル変更ストリームに使用し、圧縮されたビデオ・データ（通常デコーダ７１２と低解像度デコーダ７１８に結合される）を受信するＤＥＭＵＸ７１０を具える。通常デコーダ７１２は、フレーム記憶装置７１４に結合されて、復号化（ｄｅｃｏｄｅｄ）ビデオをディスプレイとフレーム記憶装置７１４に選択可能に出力する。通常デコーダ７１２は更に、後処理フィルタ７１６に結合され、後処理フィルタ７１６は、後処理した復号化ビデオをディスプレイとフレーム記憶装置７１４に選択可能に出力する。低解像度デコーダ７１８は、フレーム記憶装置７２０に結合されて、復号化ビデオをアップサンプラ７２２に出力する。アップサンプラ７２２は、アップサンプリングした復号化デオをディスプレイとフレーム記憶装置７１４に選択可能に出力する。
【手続補正８】
【補正対象書類名】明細書
【補正対象項目名】００５１
【補正方法】変更
【補正の内容】
【００５１】
本発明の原理は、ハードウェアとソフトウェアを組み合わせて実施するのが好ましい。ソフトウェアは、プログラム記録ユニット上で具現化されるアプリケーション・プログラムとして実施されるのが好ましい。アプリケーション・プログラムは、適当なアーキテクチャから成るマシンにアップロードされ、マシンにより実行される。マシンは、中央処理装置（ＣＰＵ）、ランダムアクセス・メモリ（ＲＡＭ）、および入力／出力（Ｉ／Ｏ）インターフェースのようなハードウェアを具えるコンピュータ・プラットフォーム上で実施されるのが好ましい。コンピュータ・プラットフォームにはオペレーティング・システムおよびマイクロインストラクション・コードも含まれる。前述した種々の処理および機能は、マイクロインストラクション・コードの一部またはアプリケーション・プログラムの一部、またはその組合せである。加えて、追加的データ記録ユニットおよびプリンタのような、他の種々の周辺装置もコンピュータ・プラットフォームに接続される。